(57)【要約】      （修正有）【課題】ＣＤ等のディスクの取り出しなどを直接手で行うと、ディスクを湾曲させたり、手指の汚れを付着させたりする。【解決手段】ディスクの取り出し装填収納までを行うマウス様電池式ディスク着脱具を提供する。マウス様躯体１内に電池式モーターファン４及びスイッチ５を設ける。マウス様躯体全周のゴム製リング６中央部にゴム製の２重構造の吸着盤７を設け、先端部にはガイド及び調整バネ８を設け、吸着盤の間及び躯体には通気孔９を設ける。【選択図】図１
2008117503.tif 000002
【特許請求の範囲】
【請求項１】
電池モーター式排出ファンにより、空気を排出し２重構造の吸着盤により、ＣＤ，ＤＶＤ等のディスク製品の取り出し装填収納を行うマウス様電池式ディスク着脱具。
【発明の詳細な説明】
【技術分野】
【０００１】  この発明は、ディスクの取り出し装填収納までを行うマウス様電池式ディスク着脱具に関するものである。
【背景技術】
【０００２】  従来、ディスクの取り出し装填収納は、手で行っていた。
【発明の開示】
【発明が解決しようとする課題】
【０００３】  そのために、次のような問題点が生じていた
（イ）手で行うことが確実で勝るものはありません、しかし、ディスクをホルダーに着脱する際にディスクを湾曲させたり、手指の汚れを付着させるなどの、直接触れる煩わしさがある。
本発明は、以上の問題点を解決したものである。
【課題を解決するための手段】
【０００４】  マウス様のプラスチック製の躯体の中に電池モーター式ファン、ガイドおよび２重構造の吸着盤を設ける以上の構成からなるマウス様ディスク着脱具である。
【発明の効果】
【０００５】  したがって、手で直接ディスクに触れる煩わしさがなくなる。
【発明が解決しようとする課題】
【０００６】  以下、本発明の実施の形態について説明をする。
（イ）マウス様躯体（１）に電池式モーターファン（２）（３）（４）及びスイッチ（５）を設ける。
（ロ）マウス様躯体（１）全周にディスク破損防止及び高さ調整用のゴム製リング（６）を設ける。
（ハ）マウス様躯体（１）中央部にゴム製の２重構造の吸着盤（７）先端部には、ガイド及び調整バネ（８）設ける。
（ニ）マウス様躯体（１）中央部のゴム製の２重構造の吸着盤（７）の間及び躯体においては空気が排出される方向に対して及びファンの負荷を低減する程度の通気孔（９を設ける。
本発明は、以上の構成からなる、マウス様電池式ディスク着脱具である。
以下、使用法について説明する。
▲１▼ディスク取り出し
ＤＶＤ等のディスクパッケージに収納されているパッケージのホールド部にガイド（８）を合わせ押し込むと、ホールド部が収縮しディスクがＦＲＥＥの状態となる、同時に電池式モーターファン（２）（３）（４）の電源スイッチ（５）をＯＮにすると空気がマウス躯体内の通気孔を通じて排出され空気圧が低くなり、２重構造の吸着盤（７）とディスクの間が密閉される形で、ディスクを吸着し、ガイド（８）は、ディスクの穴の部分に納まる。
▲２▼ディスクを機器に装填
▲１▼で吸着したディスクを機器にセットし電源スイッチ（５）をＯＦＦにすると空気圧が通常の状態に戻りディスクを離す。
▲３▼ディスクを機器よりディスクパッケージに収納
ガイド（８）をディスクの穴の部分合わせ、電池式モーターファン（２）（３）（４）の電源スイッチ（５）をＯＮにすると同上▲１▼に記載の仕組みでディスクを吸着するパッケージのホールド部にガイド（８）を合わせ押し込むと、ホールド部が収縮し同時に電源スイッチ（５）ＯＦＦにするとディスクが吸着盤より離され収納される。
2008117503.tif 000003
【手続補正書】
【提出日】平成19年8月13日(2007.8.13)
【手続補正２】
【補正対象書類名】明細書
【補正対象項目名】全文
【補正方法】変更
【補正の内容】
【発明の詳細な説明】
【技術分野】
【０００１】  この発明は、ディスクの取り出し装填収納までを行うマウス様電池式ディスク着脱具に関するものである。
【背景技術】
【０００２】  従来、ディスクの取り出し装填収納は、手で行っていた。
【発明の開示】
【発明が解決しようとする課題】
【０００３】  そのため、次のような問題点が生じていた
（イ）ディスクをディスクホルダーや機器から取り出す時や、収納する際にディスクを湾曲させたり手指の汚れを付着させたり、取りづらい等の直接触れる煩わしさがある。
本発明は、以上の問題点を解決したものである。
【課題を解決するための手段】
【０００４】  マウス様のプラスチック製の躯体の中に電池モーター式のファン、ガイド、２重構造の吸着盤を設ける、以上の構成からなるマウス様電池式ディスク着脱具である。
【発明の効果】
【０００５】  したがって、手で直接ディスクに触れる煩わしさがなくなる。
【発明を実施するための最良の形態】
【０００６】  以下、本発明の実施の形態について説明をする。
（イ）マウス様躯体（１）に電源（単３電池）（２）、電池式モーター（３）、空気排出用のファン（４）、電源のスイッチ（５）を設ける。
（ロ）マウス様躯体（１）全周にディスク破損防止および高さ調整用のゴム製のリング（６）を設ける。
（ハ）マウス様躯体（１）中央部には、ディスクを吸着するゴム製の２重構造の吸着盤（７）を設ける。
（ニ）マウス様躯体（１）中央部の中心部には、ディスクパッケージのディスクホールド部に突き当たりディスクホールド部を収縮させ、また、ディスクの中央穴を固縛することを考慮した、ガイドおよび調整用のバネ（８）を設ける。
（ホ）マウス様躯体（１）中央部のゴム製の２重構造の吸着盤（７）の間およびマウス様躯体（１）内には、空気排出用のファン（４）によって排出される空気の方向に対して通気孔（９）を設け、また、同様に空気排出用のファン（４）の負荷を低減させることを考慮した通気孔（９）を設ける。
本発明は、以上の構成からなる、マウス様電池式ディスク着脱具である。
以下、使用方法について説明をする。
（イ）ディスクのディスクパッケージからの取り出し
ディスクが収納されているディスクパッケージのディスクホールド部にガイド（８）を合わせ押し込むと、ディスクホールド部の爪が収縮し開放状態となる、同時に、電池式モーターファン（２）（３）（４）の電源スイッチ（５）をＯＮにすると、空気がマウス様躯体（１）内の通気孔（９）を通って排出され、ディスクは、２重構造の吸着盤（７）により吸着される、同時にガイド（８）は、ディスクの中心部の穴に納まる。
（ロ）ディスクの機器への装填
（イ）にて吸着したディスクを機器にセットし、電源スイッチ（５）をＯＦＦにすると電池式モーターファン（２）（３）（４）が停止し、ディスクが装填される。
（ハ）ディスクを機器よりディスクパッケージに収納
機器に装填してあるディスクの中央の穴に、ガイド（８）を合わせ電池式モーターファン（２）（３）（４）の電源スイッチ（５）をＯＮにすると、空気がマウス様躯体（１）内の通気孔（９）を通って排出され、ディスクは、２重構造の吸着盤（７）により吸着される、その状態でディスクパッケージのディスクホールド部にガイド（８）を合わせ押し込むと、ディスクホールド部の爪が収縮し開放状態となり、電源スイッチ（５）をＯＦＦにすると電池式モーターファン（２）（３）（４）が停止し、ディスクがディスクパッケージに収納される。
【図面の簡単な説明】
【０００７】
【図１】マウス様躯体（１）の外観を簡略的に描いた外観図でありパソコンのマウス程度に手になじむ形状とする。
【図２】［図１］の外観図をａ−ａ縦断方向に見た（斜線部）断面図であり基本的な構造を示すものであります。
【符号の説明】
【０００８】１．（１）マウス様躯体  ：  パソコンのマウス程度の形状で手になじむものとする。
２．（２）電源  ：  単３電池×２本
３．（３）電池式モーター  ：  乾電池用でファンを回すため
４．（４）空気排出用のファン  ：  空気の流れを造る
５．（５）電源ＯＮ、ＯＦＦ用スイッチ  ：  ファンの作動、停止
６．（６）ゴム製のリング  ：  ディスクの破損防止および高さの調整用
７．（７）ゴム製の２重構造の吸着盤  ：  ディスクの吸着
８．（８）ガイドおよび調整用のバネ  ：  ディスクホールド部の収縮、ディスクの中心穴の固縛のため
９．（９）通気孔  ：  空気排出用のファン（４）にて排出される空気流を誘導しファンの負荷を低減させるため
【手続補正３】
【補正対象書類名】図面
【補正対象項目名】全図
【補正方法】変更
【補正の内容】
【図１】
2008117503.tif 000004
【図２】
2008117503.tif 000005